(57)【特許請求の範囲】
【請求項１】
板状部材に、折り返し点を具えた切込み線を形成し、該切込み線の両端近傍を通る折曲線に沿って前記切込み線の内側部分を立ち上げ、前記切込み線の折り返し点を頂点とする突片を具えた侵入防止器において、
一の切込み線の折り返し点を、該一の切込み線の先方に隣接した二の切込み線の折曲線より該二の切込み線の内側に設け、前記一の切込み線からなる突片の高さ幅を、前記一の切込み線の折曲線と前記二の切込み線の折曲線の間隔より長くしたことを特徴とする侵入防止器。
【請求項２】
切り込み線を逆Ｖ字状とし、先鋭の突片を有することを特徴とした請求項１に記載の侵入防止器。
【請求項３】
複数の切込み線で形成される切込み線列を複数具え、突片を並列に有することを特徴とした請求項１または２に記載の侵入防止器。
【請求項４】
板状部材に、請求項１〜３のいずれか１項に記載の侵入防止器を形成するための切込み線を設けた基板。
【請求項５】
侵入防止器は、鳥の止まり防止器である請求項１〜３のいずれか１項に記載の侵入防止器。
【請求項６】
侵入防止器は、侵入路に設置する防犯用侵入防止器である請求項１〜３のいずれか１項に記載の侵入防止器。
【発明の詳細な説明】
【技術分野】
【０００１】
本発明は、切込み線に沿って突片を切り起こし、突片により鳥の止まりを防止したり、不審者の侵入を防止する侵入防止器に関する。
【背景技術】
【０００２】
ベランダや手すり、梁などに鳩などが降り立ったり、歩行することを防止するための、突起物を取り付けた鳥避け器具が知られている。このような鳥避け器具は、突起物を樹脂で成形したり、金属棒を基台に植え付けたりして形成されている。
【０００３】
また、金属板にＶ字状の切込み線を設け、その切込み線に沿って金属板を刺状に切り起こし、ねずみなどの侵入を防止した小動物侵入防止器具が知られている。
【０００４】
更に、塀の上面などに突起を設け、不審者の侵入を防止する侵入防止器具がある。
【０００５】
【特許文献１】特開２０００−２４５３２６号公報
【発明の開示】
【発明が解決しようとする課題】
【０００６】
しかしながら突起を樹脂製とした鳥避け装置は、単位面積当たりの単価が高く、施工費用が高くなっていた。また、部材を単位として取り付けるため、任意の形状に合わせて鳥避け装置を施工することができなかった。
【０００７】
また金属板に切込み線を設け、図７に示すように切込み線を切り起こした小動物侵入防止器具３２は、刺３０の高さが低く、ねずみなどには侵入防止の作用が機能しても、脚の長い鳥の降り立ちを防止するには適さなかった。一方刺３０の突出高さを高くすると、切込み線が長くなるため隣接した刺３０との間が広くなり、平面部分が増大して鳥の降り立ちを防止する機能が作用できなくなっていた。
【０００８】
本発明は、侵入防止機能が高く、しかも使用前の保管が容易な、安価に製造できる侵入防止器、鳥の止まり防止器、防犯用侵入防止器、およびそれを形成するための基板を提供することを目的とする。
【課題を解決するための手段】
【０００９】
本発明は、上記目的を解決するため次のように侵入防止器を構成した。
【００１０】
１、板状部材に、折り返し点を具えた切込み線を形成し、切込み線の両端近傍を通る折曲線に沿って切込み線の内側部分を立ち上げ、切込み線の折り返し点を頂点とする突片を設けた侵入防止器において、一の切込み線の折り返し点を、一の切込み線の先方に隣接した二の切込み線の折曲線より二の切込み線の内側に設け、一の切込み線からなる突片の突出高さを、一の切込み線の折曲線と二の切込み線の折曲線の設置間隔より長くして侵入防止器を形成した。
【００１１】
板状部材は、鉄板、アルミニウム板、銅板等材質は問わない。また金属板でなく、所定の強度を有し、折曲可能であれば合成樹脂板でもよい。切込み線の形状は、折曲線で折り曲げて突片が形成されれば、特に問わない。切込み線の折り返し点で形成される突片の頂点は、先鋭でも、円形や直線状でもよく、また複数あってもよい。
【００１２】
板状部材を金属製とした場合は、プレス加工等により切込み線を形成することが簡易な点で好ましいが、切込み線の形成はそれに限るものではない。また板状部材を樹脂製とした場合には、樹脂を成形する金型に予め切込み線を形成するように突出部を設け、射出成形とともに切込み線を成形してもよい。
【００１３】
かかる切込み線は、板状部材に少なくとも２箇所隣接させて形成する。隣接して順次形成される切込み線は、同一形状が好ましいが、異ならせてもよい。例えば先端を先鋭とした突片と、先端を緩やかに形成した突片とを交互に設けてもよい。
【００１４】
切込み線の折り返し点は、その切込み線の先方に隣接して形成された切込み線の折曲線を超えて切込み線の内側に位置している。尚先方とは、切込み線の端部側から折り返し点の方向を指す。これにより、折曲線から切込み線を順次切り起こすと、突出高さが高い突片が、短い間隔で順次形成される。
【００１５】
このように形成するには、切込み線を逆Ｖ字状に形成するのが好ましいが、切込み線の形状は逆Ｖ字状に限らず他の形状でもよい。また折曲線は、切込み線の両端を通る線上に設定することが好ましいが、切込み線の両端を通らなくともよい。
【００１６】
切込み線は、個々に切り起こしても、突起部を有する部材などを用い、複数の切込み線を同時に切り起こすようにしてもよい。
【００１７】
２、切込み線を逆Ｖ字状とした。これにより、切込み線を立ち上げて形成された突片の頂点が先鋭となる。
【００１８】
３、  複数の切込み線で形成される切込み線の列を板状部材に複数設け、突片を板状部材に並列に形成した。切込み線の形状は、切込み線の列ごとに異ならせてもよい。また切込み線を切り起こす方向を、切込み線の列ごとに異ならせてもよい。更に切込み線の列を、直線状とせず、蛇行させたり、円形、あるいは同心円状等にしてもよい。
【００１９】
４、  突片を形成するための切込み線を板状部材に設け、侵入防止器を形成するための基板を構成した。基板は連続した平板でも、コイル状に巻き取られていてもよい。基板は、任意な箇所で切断して用いることとする。
【００２０】
５、侵入防止器を鳥の止まり防止器とした。鳥の止まりとは、空中から鳥が着地するのみでなく、歩行により侵入するなど、立ち入ること全般を指す。鳥の止まり防止は、鳥が止まり易い、手すりや梁などに設置し、突片により脚を降ろすことができなくなるか、突片の間に脚を置いたときに突片の頂点が鳥の胴部に接触して鳥が居られないように作用する。したがって、止まりを防止しようとする鳥の大きさ、形態等により、突片の突出高さ、突片間の間隔等を適宜設定する。本件の鳥の止まり防止器上に鳥が居られなくなればよいので、突片の先端が鳥の体を突き刺し、傷つける必要はない。
【００２１】
６、侵入防止器を不審者の侵入防止器とした。これは、塀の上面などに設けて、不審者が塀を乗り越えることなどを防止する。
【発明の効果】
【００２２】
侵入防止器は、突出高さの高い複数の突片を、狭い間隔で設けることができる。これにより、侵入防止器に触れることや、その上面に侵入することを防止できる。
【００２３】
侵入防止器は、切込み線の内側を切り起こすことのみで、突片を立ち上げることができ、安価に提供できる。
【００２４】
板状部材は、切込み線にかかわらず任意の長さに切断可能で、任意の位置で切断して所望の形状に形成し、侵入防止器を所望の箇所に取り付け突片を密に設置できる。また侵入防止器は折り曲げが可能で、湾曲面にも設置できる。
【００２５】
プレス加工等より切込み線を板状部材に形成できるので、基板を容易に製造できる。切込み線を所望の形状に形成することにより、突片を任意な形状にできる。複数列の切込み線を設けた板状部材を、列を単位として切断し、侵入防止器の突片の列を所望の数にできる。これにより、ひさしなど、面積の広い部分に突片を全面に設けることができる。
【００２６】
基板を、積み重ねて保管したり、巻き取ることができ、広い場所を必要とすることなく保管できる。
【００２７】
鳥の止まり防止器には密に突片が設けられているので、鳥が降り立とうとしても、脚を着く空間がなく降り立つことができない。また、突片の間に脚を置いた場合でも、突片の突出高さが高いため鳥の胴体下部に突片の先端が当接し、鳥がその場に居られなくなり、立ち去ることとなる。また、鳥の止まり防止器に鳥が歩行により立ち入ることも同様の理由により防止される。
【００２８】
防犯用の侵入防止器は、突片により侵入防止器が設けられた箇所に手を着いたり、脚を踏み入れることができず、不審者の侵入を防止できる。
【発明を実施するための最良の形態】
【００２９】
本発明の侵入防止器として、鳥の止まり等を防止した鳥の止まり防止器を例に説明する。
【００３０】
図１に鳥の止まり防止器２を示す。鳥の止まり防止器２は、金属製で、図１に示すように２本の平行に延びる取付片板４と、取付片板４から立ち上がる突片６から構成されている。
【００３１】
突片６は、逆Ｖ字状に形成された２本の脚部７を具え、上部に折り返し点としての先鋭な頂点８を有し、脚部７の間には空間９が設けられている。脚部７は、折曲線１１で取付片板４から折り曲げ、取付片板４に対してほぼ垂直に立ち上げてある。
【００３２】
図２に、鳥の止まり防止器２を形成するための基板３を示す。基板３は、板状部材としての金属板２０に、金属板２０を表裏に貫通する切込み線５を複数所定の間隔で形成してある。切込み線５は、逆Ｖ字状の形状で、Ｖ字の頂点８が、隣接した先方の切込み線５の折曲線１１を超えて先方の切込み線５の内側に位置している。つまり、端部１０（すなわち折曲線１１）から頂点８までの距離ａより隣接した切込み線５との間隔ｂの方が短くなっている。
【００３３】
したがって切込み線５を図３に示すように順次切り起こして突片６を立ち上げると、突片６の上部が、隣接した先方の突片６の空間９を形成しながら、高さの高い突片６が短い間隔で図１および図６に示すように複数形成される。
【００３４】
鳥の止まり防止器２は、ベランダの手すり上面や梁など、鳥の止まりを防止したい箇所に置き、取付板４を接着剤や、釘などで固定する。すると、突片６が鳥の脚が突片６の間に入り込めないように密に設けられるので、鳥の止まり防止器２上に鳥が降り立ったり、歩行して侵入すること等を防止できる。
【００３５】
また、突片６の間に脚が入るような場合であっても、突片６の高さが高く、鳥の胴体下部に頂点８が接触することから、鳥は鳥の止まり防止器２上に居ることができず、立ち去ることとなる。
【００３６】
図４、図５に鳥の止まり防止器２の他の例を示す。
【００３７】
これは、切込み線５を連続させた列を基板３に２列に形成した。このように切込み線５を２列に設けることにより突片６を横方向に広い範囲に形成できる。突片６の構成等は上記例と同様である。尚、列は２列に限るものではない。
【００３８】
これにより、手すり上面などにかぎらず、ひさし、屋根、ベランダなど面積の広い箇所の全面に突片６を、容易かつ安価に設けることができる。
【図面の簡単な説明】
【００３９】
【図１】本発明にかかる鳥の止まり防止器の一実施形態を示す斜視図である。
【図２】基板を示す平面図である。
【図３】鳥の止まり防止器を示す斜視図である。
【図４】鳥の止まり防止器の他の例を示す平面図である。
【図５】図４の鳥の止まり防止器を示す斜視図である。
【図６】鳥の止まり防止器の側面図である。
【図７】従来例を示す側面図である。
【符号の説明】
【００４０】
２    鳥の止まり防止器
３    基板
４    取付片板
５    切込み線
６    突片
７    脚
８    頂点
９    空間
１０  端部
１１  折曲線
２０  金属板
【図１】
0004596161.tif 000002
【図２】
0004596161.tif 000003
【図３】
0004596161.tif 000004
【図４】
0004596161.tif 000005
【図５】
0004596161.tif 000006
【図６】
0004596161.tif 000007
【図７】
0004596161.tif 000008